(57)【要約】【課題】  動画フォーマット毎に管理ファイルを生成する場合であっても、適切なリール番号の情報を含む管理ファイルを記録可能な画像記録装置を提供することを目的とする。【解決手段】  動画ファイルの記録形式が第１の動画フォーマットに設定されており、記録媒体に第１の動画フォーマットの管理ファイルが記録されていないが他の動画フォーマットの管理ファイルが記録されている場合に、他の動画フォーマットの管理ファイルに含まれるリール番号の情報に基づいて記録媒体のリール番号を決定し（Ｓ２０６、Ｓ２０７、Ｓ２０８）、決定されたリール番号の情報を含む第１の動画フォーマットの管理ファイルを記録媒体に記録するように制御する。【選択図】  図２
2019180054.tif 000002
【特許請求の範囲】
【請求項１】
記録媒体を着脱可能な画像記録装置であって、
動画ファイルと、前記記録媒体のリール番号の情報を含む管理ファイルを前記記録媒体に記録するように制御する記録制御手段と、
前記管理ファイルに記録する前記記録媒体のリール番号を決定する決定手段と、
動画ファイルの記録形式を複数の動画フォーマットの中から設定する設定手段と、を有し、
前記記録制御手段は、動画フォーマット毎に前記管理ファイルを前記記録媒体に記録し、
動画ファイルの記録形式が第１の動画フォーマットに設定されており、前記記録媒体に前記第１の動画フォーマットの管理ファイルが記録されていないが他の動画フォーマットの管理ファイルが記録されている場合に、前記決定手段は、前記他の動画フォーマットの管理ファイルに含まれるリール番号の情報に基づいて前記記録媒体のリール番号を決定し、前記記録制御手段は、前記決定されたリール番号の情報を含む前記第１の動画フォーマットの管理ファイルを前記記録媒体に記録するように制御することを特徴とする画像記録装置。
【請求項２】
前記記録媒体に何れの動画フォーマットの管理ファイルも記録されていない場合には、前記決定手段は、前記画像記録装置において予め設定されているリール番号に基づいて前記記録媒体のリール番号を決定し、前記記録制御手段は、前記決定されたリール番号の情報を含む管理ファイルを記録媒体に記録するように制御することを特徴とする請求項１に記載の画像記録装置。
【請求項３】
動画ファイルの記録形式が前記第１の動画フォーマットに設定されており、前記記録媒体に何れの動画フォーマットの管理ファイルも記録されていない場合に、前記決定手段は、前記画像記録装置において予め設定されているリール番号に基づいて前記記録媒体のリール番号を決定し、前記記録制御手段は、前記決定されたリール番号の情報を含む前記第１の動画フォーマットの管理ファイルを記録媒体に記録するように制御することを特徴とする請求項１に記載の画像記録装置。
【請求項４】
前記記録制御手段は、前記設定手段により動画ファイルの記録形式として設定された動画フォーマットの管理ファイルが前記記録媒体に記録されていない場合に、動画の記録開始指示に応じて、前記設定された動画フォーマットの管理ファイルを前記記録媒体に記録するように制御することを特徴とする請求項１に記載の画像記録装置。
【請求項５】
前記記録媒体に記録すべき管理ファイルを生成する生成手段と、
前記生成手段により生成された管理ファイルを一時記憶する記憶手段と、を更に有し、
前記設定手段により動画ファイルの記録形式として設定された動画フォーマットの管理ファイルが前記記録媒体に記録されていない場合に、前記動画の記録指示の前に、前記決定手段により決定されたリール番号の情報を含む管理ファイルを前記生成手段により生成して前記記憶手段に記憶し、前記動画の記録指示に応じて、前記記録制御手段は、動画ファイルと、前記記憶手段に記憶されている管理ファイルとを前記記録媒体に記録するように制御することを特徴とする請求項２に記載の画像記録装置。
【請求項６】
前記設定手段により設定された動画フォーマットの管理ファイルが前記記録媒体に記録されていない場合に、前記設定手段により動画フォーマットが設定されたことに応じて、前記決定手段により前記記録媒体のリール番号を決定し、前記決定されたリール番号の情報を含む管理ファイルを前記生成手段により生成して前記記憶手段に記憶することを特徴とする請求項５に記載の画像記録装置。
【請求項７】
前記記録制御手段は、前記動画の記録指示に応じて、前記動画ファイルと、前記記憶手段に記憶されている管理ファイルに前記動画ファイルに関する情報を追記した管理ファイルとを、前記記録媒体に記録するように制御することを特徴とする請求項５に記載の画像記録装置。
【請求項８】
前記画像記録装置において予め設定されているリール番号に基づいて前記決定手段により決定されたリール番号の情報を含む管理ファイルが前記記録媒体に記録されることに応じて、前記画像記録装置に設定されているリール番号を更新する更新手段を更に有することを特徴とする請求項２に記載の画像記録装置。
【請求項９】
記録媒体を着脱可能な画像記録装置の制御方法であって、
動画ファイルの記録形式を複数の動画フォーマットの中から設定する設定工程と、
前記記録媒体のリール番号を決定する決定工程と、
前記記録媒体のリール番号の情報を含む管理ファイルを前記記録媒体に記録するように制御する記録制御工程と、を有し、
前記記録制御工程では、動画フォーマット毎に前記管理ファイルを前記記録媒体に記録し、
動画ファイルの記録形式が第１の動画フォーマットに設定されており、前記記録媒体に前記第１の動画フォーマットの管理ファイルが記録されていないが他の動画フォーマットの管理ファイルが記録されている場合に、前記決定工程では、前記他の動画フォーマットの管理ファイルに含まれるリール番号の情報に基づいて前記記録媒体のリール番号を決定し、前記記録制御工程では、前記決定されたリール番号の情報を含む前記第１の動画フォーマットの管理ファイルを前記記録媒体に記録するように制御することを特徴とする画像記録装置の制御方法。
【請求項１０】
コンピュータを、請求項１ないし８のいずれか１項に記載の画像記録装置の各手段として機能させるためのプログラム。
【発明の詳細な説明】
【技術分野】
【０００１】
本発明は、画像記録装置に関するものである。
【背景技術】
【０００２】
画像記録装置としてのデジタルシネマカメラなどのビデオカメラでは、データマネジメントやポストプロダクションでのデータ管理を円滑に行うため、フィルム撮影の慣例を踏襲し、撮影前や撮影時に、記録媒体に一意に紐付くリール番号を設定する。そして、設定されたリール番号を、撮影コンテンツの目録として使用するために撮影コンテンツの情報（ファイル名等）が記録された管理ファイルなどに記録する（特許文献１）。再生時には、記録媒体からリール番号の情報を読み出すことにより、その記録媒体に設定されたリール番号を把握することができる。リール番号は、日付やカメラ名と共に、撮影コンテンツをデータ管理するために用いられる。その際、同じ記録媒体で複数のリール番号が混在することは、データ管理の運用性を低下させるため許容できない課題がある。
【０００３】
また撮影コンテンツをファイル名など撮影コンテンツの属性情報が記載された管理ファイルで一括管理する場合には、動画フォーマット毎に使用用途を分けるユースケースがあるため、同じ記録媒体内に動画フォーマット毎で管理ファイルを生成することがある。このような運用では、同じ記録媒体で動画フォーマット毎に異なるリール番号が割り振られた管理ファイルが生成されないよう回避する必要がある。
【先行技術文献】
【特許文献】
【０００４】
【特許文献１】特開２０１６−１６７７８８号公報
【発明の概要】
【発明が解決しようとする課題】
【０００５】
同じ記録媒体内に動画フォーマット毎に管理ファイルを生成して記録する場合であっても、同じ記録媒体内の管理ファイルであれば、同じリール番号を付与するのが望ましい。
【０００６】
そこで、本発明では、動画フォーマット毎に管理ファイルを生成する場合であっても、適切なリール番号の情報を含む管理ファイルを記録可能な画像記録装置を提供することを目的とする。
【課題を解決するための手段】
【０００７】
上述の課題を解決するため、本発明の画像記録装置は、
記録媒体を着脱可能な画像記録装置であって、動画ファイルと、記録媒体のリール番号の情報を含む管理ファイルを記録媒体に記録するように制御する記録制御手段と、管理ファイルに記録する記録媒体のリール番号を決定する決定手段と、動画ファイルの記録形式を複数の動画フォーマットの中から設定する設定手段と、を有し、記録制御手段は、動画フォーマット毎に管理ファイルを記録媒体に記録し、動画ファイルの記録形式が第１の動画フォーマットに設定されており、記録媒体に第１の動画フォーマットの管理ファイルが記録されていないが他の動画フォーマットの管理ファイルが記録されている場合に、決定手段は、他の動画フォーマットの管理ファイルに含まれるリール番号の情報に基づいて記録媒体のリール番号を決定し、記録制御手段は、決定されたリール番号の情報を含む第１の動画フォーマットの管理ファイルを記録媒体に記録するように制御することを特徴とする。
【発明の効果】
【０００８】
本発明によれば、動画フォーマット毎に管理ファイルを生成する場合であっても、適切なリール番号の情報を含む管理ファイルを記録可能な画像記録装置を提供することができる。
【図面の簡単な説明】
【０００９】
【図１】画像記録装置のブロック図
【図２】動画記録開始前の管理ファイルの生成処理のフローチャート
【図３】動画記録時の管理ファイルの生成、記録処理のフローチャート
【図４】画像記録装置１００における管理ファイルの生成・記録処理の概略図
【発明を実施するための形態】
【００１０】
＜第１の実施形態＞
図１は、本実施形態に係る画像記録装置１００の内部構成例を示すブロック図である。本願発明では、画像記録装置１００の一例として撮像装置について説明するが、記録媒体に動画を記録可能な装置、システムであれば、本発明を適応可能である。図１に示すように、画像記録装置１００は、バス１０１、ＣＰＵ１０２、ＲＯＭ１０３、ＲＡＭ１０４、操作制御部１０５、操作部１０６、表示制御部１０７、表示部１０８、記録制御部１０９、記録媒体１１０、撮像部１１１、リール番号設定部１１２で構成される。
【００１１】
バス１０１は、アドレスバス、データバス、制御バスで構成される。バス１０１は、画像記録装置１００の各構成部の間で命令やデータを通信する際に用いられる。
【００１２】
ＣＰＵ１０２は、ＲＯＭ１０３に格納されたプログラムを読み出してプログラムを実行し、画像記録装置１００の各構成部を制御するためのプロセッサである。ＲＯＭ１０３は、プログラムや各種設定情報等が格納されている不揮発性のメモリである。ＲＡＭ１０４は、ワークメモリとして使用される揮発性のメモリである。
【００１３】
表示部１０８は、ＴＦＴ液晶などの表示器で構成される。表示部１０８では、ユーザに対し、メニュー設定の選択画面や撮像部１１１により撮影したライブビュー画像、記録媒体１１０に記録されている画像などをＴＦＴ液晶に表示する。
【００１４】
表示制御部１０７は、表示部１０８に適した画像形式（アスペクト比など）で出力するための各種画像処理を行う。
【００１５】
操作部１０６は、電源ボタンや、シャッターボタン、動画記録ボタン、表示部１０８に表示したＵＩ画面上でメニュー設定などの選択操作をするための十字キーなどで構成される。物理ボタンではなく、タッチパネルにより操作部１０６を実現してもよい。
【００１６】
操作制御部１０５は、ユーザが操作部１０６を操作したことを検出し、検出した操作をＣＰＵ１０２に対し通知する。
【００１７】
記録媒体１１０は、ＳＤカードなどの着脱可能な記録媒体であり、画像データを記録するために画像記録装置１００に挿入される。
【００１８】
記録制御部１０９は、記録媒体１１０に対して、データの書き込み、読み込みを行うための制御部である。記録制御部１０９は、ＣＰＵ１０２から通知された読み込み命令を受け、記録媒体１１０の指定領域を一定サイズ毎に順次読み込み、ＲＡＭ１０４に展開しバッファリングする。また記録制御部１０９は、ＣＰＵ１０２から通知された書き出し命令を受け、ＲＡＭ１０４に展開された書き込み対象データ（画像データ、管理データなど）を受信し、記録媒体１１０に受信データを一定サイズ毎に順次書き出す。次に、記録制御部１０９は、読み込みもしくは書き出しが完了すると、ＣＰＵ１０２に対しその旨を通知する。
【００１９】
撮像部１１１は、撮影レンズ、イメージセンサ、画像処理回路等から構成される。まず撮影レンズを介して入射される被写体像をイメージセンサ上で結像して光電変換し、映像信号を生成する。続いて、生成された映像信号に対して画像処理回路において各種画像処理を施し、画像データを生成する。そして、静止画撮影の場合は、ＪＰＥＧ等の記録形式で符号化して静止画ファイルを生成する。動画撮影の場合は、Ｈ．２６４／ＡＶＣなどで符号化した動画データと、不図示のマイクから入力された音声データを多重化し、記録形式として設定された動画フォーマットに整形して動画ファイルを生成する。生成された画像ファイルは、記録媒体１１０に書き出すため、ＣＰＵ１０２が書き出し命令を発行する。
【００２０】
リール番号設定部１１２は、ＲＯＭ１０３に記録されているリール番号の設定値を変更するための設定部である。リール番号の設定値の初期値として「００１」がＲＯＭ１０３に記録されている。リール番号設定部１１２は、ＣＰＵ１０２から通知された操作部１０６へのユーザの選択操作に応じて、ＲＯＭ１０３に記録されているリール番号の設定値を変更する。メニュー設定画面において、リール番号の初期化や、次に記録媒体に記録する際のリール番号の値（例えば「００７」等）を選択することにより、リール番号の設定値を変更することができる。
【００２１】
図１の画像記録装置１００においては複数のブロックを有している。各ブロックについて、専用の処理回路を用いてもよいし、汎用のプロセッサがＲＯＭから処理用のプログラムを読み出してプログラムに基づいて処理を実行することにより実現してもよい。また、複数のブロックを１つのプロセッサで実現してもよい。
【００２２】
図４を用いて、本実施形態において画像記録装置１００により記録媒体１１０に記録される管理ファイルについて説明する。
【００２３】
図４（ａ）に示すように、記録媒体１１０には、動画フォーマット毎（例えば、ＭＸＦファイルとＭＰ４ファイル等）に、それぞれフォルダ（第１の動画フォーマットのフォルダ４００、第２の動画フォーマットのフォルダ４１０）、及び、管理ファイル（管理ファイル１、管理ファイル２）が記録される。
【００２４】
図４（ｂ）に示すように、管理ファイルには、それぞれ、リール番号の情報と、管理ファイルと同じフォルダ内に記録されている動画ファイルのファイル名の情報とが記述されている。
【００２５】
第１の動画フォーマットのフォルダ４００には、動画ファイル１１、動画ファイル１２、動画ファイル１３が記録されている。そのため、管理ファイル１には、リール番号４０２と、第１の動画フォーマットのフォルダ４００に記録されている動画ファイルの情報４０３として、動画ファイル１１、動画ファイル１２、動画ファイル１３のそれぞれのファイル名が記述されている。
【００２６】
第２の動画フォーマットのフォルダ４１０には、動画ファイル２１が記録されている。そのため、管理ファイル２には、リール番号４１２と、第２の動画フォーマットのフォルダ４１０に記録されている動画ファイルの情報４１３として、動画ファイル２１のファイル名が記述されている。
【００２７】
このように、本実施形態においては、動画フォーマット毎に管理ファイルが記録され、リール番号の情報は、管理ファイルにそれぞれ記録し、どの管理ファイルからでもリール番号を確認できるようにしている。ここで、リール番号は、記録媒体に一意に紐づく情報であるため、同じ記録媒体内では、異なる管理ファイルであっても、同じリール番号を記録する必要がある。
【００２８】
異なる管理ファイルであっても、同じリール番号を記録する方法として、画像記録装置において記録可能な全ての動画フォーマットの管理ファイルを一括で作成して、一括で記録することが考えられる。一括で記録するため、簡単に同じリール番号の情報を記録することができる。しかし、この場合、動画ファイルが記録されない動画フォーマットについても管理ファイルが生成されてしまい、不要なデータが記録されることになる。また、データがないのに管理ファイルが記録されるため、ユーザや他の画像記録装置において管理ファイルを確認する場合に、混乱が発生する可能性がある。
【００２９】
そのため、本実施形態においては、実際に動画ファイルを記録する際に、記録する動画ファイルの動画フォーマットの管理ファイルが記録媒体１１０に記録されていない場合に、リール番号の情報を含む管理ファイルを記録媒体に記録するようにしている。
【００３０】
本実施形態におけるリール番号の生成、記録処理について、図２，３を参照して説明する。これらの処理は、ＣＰＵ１０２がＲＯＭ１０３から読み出したプログラムに基づいて、各ブロックの制御、各種演算を行うことにより実行される。
【００３１】
図２を用いて、記録開始前の管理ファイルの生成処理を説明する。まずＳ２００にて、ＣＰＵ１０２は、動画フォーマットの設定が変更されたか否かを判定する。具体的には、ＣＰＵ１０２が、操作制御部１０５から通知される操作部１０６への選択操作に基づき、ユーザが操作部１０６を用いて、動画フォーマットを変更したかを判定する。動画フォーマットが変更されたと判定した場合、Ｓ２０１に遷移し、図２のフローチャートの処理を実行する。なお、画像記録装置１００の電源がＯＮになった時、または、撮影モードに設定された時には、動画フォーマットが変更されていなくても、図２のＳ２０１以降の処理を実行するものとする。
【００３２】
Ｓ２０１にて、ＣＰＵ１０２は、記録制御部１０９を介して、画像記録装置１００に装着されている記録媒体１１０に管理ファイルが存在するか否かを問い合わせ、記録媒体１１０に管理ファイルが存在している（記録されている）かを判定する。記録媒体１１０に管理ファイルが存在しない（記録されていない）と判定した場合は、Ｓ２０２に遷移する。一方、記録媒体１１０に管理ファイルが存在する（記録されている）と判定した場合は、Ｓ２０４に遷移する。
【００３３】
Ｓ２０２にて、ＣＰＵ１０２は、管理ファイルの記録時に、ＲＯＭ１０３に記録されているリール番号の設定値を更新するか否かを示す更新フラグを有効化してＲＡＭ１０４に記憶し、Ｓ２０３に遷移する。
【００３４】
Ｓ２０３では、ＣＰＵ１０２は、ＲＯＭ１０３に予め記録されているリール番号の設定値を読み出し、読みだしたリール番号を、新たに生成する管理ファイルに記録するリール番号として設定する。
【００３５】
Ｓ２０４では、ＣＰＵ１０２は、管理ファイルの記録時に、ＲＯＭ１０３に記録されているリール番号の設定値を更新するか否かを示す更新フラグを無効化してＲＡＭ１０４に記憶し、Ｓ２０５に遷移する。
【００３６】
Ｓ２０５にて、ＣＰＵ１０２は、現在設定されている動画フォーマットの設定を取得し、現在設定されている記録対象の動画フォーマットの管理ファイルが記録媒体１１０に存在するか否かを判定する。記録対象の動画フォーマットの管理ファイルが存在しない場合はＳ２０６に遷移する。一方、記録対象の動画フォーマットの管理ファイルが存在すると判定した場合はＳ２０９に遷移する。
【００３７】
ここで、Ｓ２０６に遷移するのは、画像記録装置１００に装着された記録媒体１１０に、記録対象の動画フォーマットの管理ファイルは存在しないが、記録対象ではない他の動画フォーマットの管理ファイルが記録されている場合となる。また、Ｓ２０９に遷移するのは、画像記録装置１００に装着された記録媒体１１０に、記録対象の動画フォーマットの管理ファイルは存在する場合となる。また、Ｓ２０２に遷移するのは、画像記録装置１００に装着された記録媒体１１０に、管理ファイルが１つも存在していない場合となる。
【００３８】
Ｓ２０６では、ＣＰＵ１０２は、記録媒体１１０から記録対象ではない他の動画フォーマットの管理ファイルを読み込み、ＲＡＭ１０４に展開する。続いて、Ｓ２０７にて、ＣＰＵ１０２は、Ｓ２０６でＲＡＭ１０４に展開した管理ファイルを解析し、記録対象外の動画フォーマットの管理ファイルに記録されているリール番号を取得する。続いて、Ｓ２０７に遷移する。Ｓ２０６で読み込んだ管理ファイルは、これ以降は、動画フォーマットの設定を変更しない限り使用しないので、ＲＡＭ１０４から削除してもよい。
【００３９】
Ｓ２０８にて、ＣＰＵ１０２は、Ｓ２０７で、記録対象外の動画フォーマットの管理ファイルから取得したリール番号を、記録対象の動画フォーマットの管理ファイルに記録するリール番号としてＲＡＭ１０４に記憶する。
【００４０】
Ｓ２０９では、ＣＰＵ１０２は、記録媒体１１０から記録対象の動画フォーマットの管理ファイルを読み込み、ＲＡＭ１０４に展開し、記録開始前の管理ファイルの生成処理を終了する。つまり、Ｓ２０９に遷移する、画像記録装置１００に装着された記録媒体１１０に、記録対象の動画フォーマットの管理ファイルは存在する場合は、記録対象の動画フォーマットの管理ファイルが記録されているので、新たな管理ファイルの生成は行わない。
【００４１】
記録対象の動画フォーマットの管理ファイルが記録されておらず、新たな管理ファイルを生成する場合には、Ｓ２１０以降の処理が実行される。
【００４２】
Ｓ２１０では、ＣＰＵ１０２は、記録対象の動画フォーマットの管理ファイルを生成するため、ＲＯＭ１０３に記録されている管理ファイルの雛形を読み出し、ＲＡＭ１０４に展開する。つまり、動画ファイルの情報や、リール番号の情報を含んでいない状態の管理ファイルがＲＡＭ１０４に生成される。
【００４３】
Ｓ２１１にて、ＣＰＵ１０２は、ＲＡＭ１０４に展開された管理ファイルのリール番号の情報を、Ｓ２０３またはＳ２０８で設定されたリール番号に更新する。つまり、リール番号の情報を含む管理ファイルが、動画ファイルの記録開始前にＲＡＭに生成され、一時記憶される。
【００４４】
このように、管理ファイルが１つも記録されていない場合は、ＲＯＭに予め記録されているリール番号の設定値をリール番号として用いて、記録対象の動画フォーマットの管理ファイルを生成する。そして、記録対象の動画フォーマットの管理ファイルは存在しないが、記録対象ではない他の動画フォーマットの管理ファイルが記録されている場合は、他の動画フォーマットの管理ファイルに記録されているリール番号を用いて、記録対象の動画フォーマットの管理ファイルを生成する。
【００４５】
次に図３を用いて、動画ファイルの記録時の管理ファイルの生成、記録処理の流れを説明する。
【００４６】
ユーザが操作部１０６を操作して、動画の記録開始が指示されたことを操作制御部１０５からＣＰＵ１０２に通知されたことにより、図３の処理が開始される。
【００４７】
Ｓ３００では、撮像部１１１により、動画の撮影、各種画像処理、圧縮処理等を施し、動画ファイルを生成し、ＲＡＭ１０４に記憶する。
【００４８】
Ｓ３０１にて、ＣＰＵ１０２は、Ｓ３００で生成した動画ファイルの情報を、図２の処理により動画の記録指示の前に予めＲＡＭ１０４に生成しておいた管理ファイルに追記する。ＲＡＭ１０４に記憶されている管理ファイル内の動画ファイルの情報を記録する領域（図４の４０３、４１３の領域）に、Ｓ３００で生成した動画ファイルのファイル名など情報を追記する。管理ファイルに記録する動画ファイルの情報はファイル名に限らず、撮影日時や記録時間などを記録するようにしてもよい。続いて、Ｓ３０２に遷移する。
【００４９】
Ｓ３０２では、ＣＰＵ１０２は、ＲＯＭ１０３に記録されているリール番号の設定値を更新するか否かを示す更新フラグが有効か否かを、ＲＡＭ１０４を参照し判定する。更新フラグが有効であると判定した場合は、Ｓ３０３に遷移する。更新フラグが無効であると判定した場合は、Ｓ３０３〜Ｓ３０５の処理を実行せずにＳ３０６に遷移し、ＲＡＭ１０４に展開されている管理ファイルを記録媒体１１０に書き出す処理を実行する。
【００５０】
Ｓ３０３にて、ＣＰＵ１０２は、ＲＯＭ１０３に記録されているリール番号の設定値を取得する。そして、ＲＡＭ１０４に展開された管理ファイルのリール番号を取得したリール番号に更新する。なお、この処理については、図２のＳ２０３およびＳ２１１で同じ処理を行っているので、どちらか一方で実施するようにしてもよい。
【００５１】
続いて、Ｓ３０４では、リール番号設定部１１２は、ＲＯＭ１０３に記録されているリール番号の設定値をインクリメントする。そして、Ｓ３０５において、ＣＰＵ１０２は、ＲＡＭ１０４に記憶されている更新フラグを無効化する。これにより、次回からの動画ファイルの記録時には、ＲＯＭ１０３に記録されているリール番号の設定値更新がされなくなる。また、ＲＯＭ１０３のリール番号の設定値を更新するため、次回、ＲＯＭ１０３に記録されているリール番号の設定値を使用する際は、今回のリール番号とは異なる番号となる。
【００５２】
Ｓ３０６では、記録制御部１０９は、ＲＡＭ１０４に展開されている管理ファイルを、記録媒体１１０に書き出す。そして、記録制御部１０９は、Ｓ３０７で、Ｓ３００で生成して、ＲＡＭ１０４に記憶されている動画ファイルを、記録媒体１１０に書き出す。上述の説明では、動画ファイルを記録媒体１１０に記録する前に、管理ファイルを記録するものとしたが、どちらを先に記録してもよい。また、動画ファイルの記録媒体１１０への記録と平行して、Ｓ３０１〜Ｓ３０６の処理を実行するようにしてもよい。
【００５３】
このような処理を行うことで、動画フォーマット毎に管理ファイルを生成する場合でも、１つの記録媒体内では同じリール番号の情報が管理ファイルに記録されることになる。また、管理ファイルが記録媒体内に１つも記録されていない場合は、予め画像記録装置のＲＯＭに記録されている設定値を管理ファイルに記録するリール番号とする。このようなリール番号の決定や、管理ファイルの生成を、動画の記録前に行うため、動画の記録時に処理の遅延が起きることを防ぐことができる。そして、設定値のリール番号を含む管理ファイルを記録媒体に記録するときにのみ、ＲＯＭのリール番号の設定値をインクリメントすることで、次回にＲＯＭのリール番号の設定値を用いる際には、今回と異なるリール番号を設定することができる。
【００５４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００５５】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００５６】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００５７】
その場合、プログラムの機能を有していれば、オブジェクトコード、インタプリタにより実行されるプログラム、ＯＳに供給するスクリプトデータなど、プログラムの形態を問わない。
【００５８】
プログラムを供給するための記録媒体としては、例えば、ハードディスク、磁気テープなどの磁気記録媒体、光／光磁気格納媒体、不揮発性の半導体メモリでもよい。
【００５９】
また、プログラムの供給方法としては、コンピュータネットワーク上のサーバに本発明を形成するコンピュータプログラムを格納し、接続のあったクライアントコンピュータはがコンピュータプログラムをダウンロードしてプログラムするような方法も考えられる。
【図１】
2019180054.tif 000003
【図２】
2019180054.tif 000004
【図３】
2019180054.tif 000005
【図４】
2019180054.tif 000006